(57)【要約】【課題】記憶すべき相関電力値を低減し、記憶装置の記憶容量を低減する。【解決手段】通信装置１のアンテナ６は、スクランブリングコードによってスペクトラム拡散された信号を受信する。相関電力値出力部２は、受信信号を逆拡散し、スロットに含まれるコードの相関電力値を出力する。相関電力値保持部３は、１スロット内における最大相関電力値が保持される。相関電力値比較部４は、１スロット内において、相関電力値出力部２から出力される相関電力値が、相関電力値保持部３に保持されている相関電力値より大きい場合、相関電力値出力部２から出力された相関電力値を相関電力値保持部３に格納する。相関電力値記憶部５は、相関電力値保持部３に保持された、１スロット内での最大相関電力値が記憶される。【選択図】        図１
2004193976.tif 000002
【特許請求の範囲】
【請求項１】
スクランブリングコードによってスペクトラム拡散された信号を受信する通信装置において、
受信信号を逆拡散し、スロットに含まれるコードの相関電力値を出力する相関電力値出力部と、
１スロット内の最大相関電力値を保持する相関電力値保持部と、
前記１スロット内において、前記相関電力値が前記最大相関電力値より大きい場合、前記相関電力値を前記相関電力値保持部に格納する相関電力値比較部と、
保持された前記最大相関電力値を記憶する相関電力値記憶部と、
を有することを特徴とする通信装置。
【請求項２】
前記相関電力値が出力されるときのタイミングを出力するタイミング出力部を有することを特徴とする請求項１記載の通信装置。
【請求項３】
前記最大相関電力値の前記タイミングを、前記最大相関電力値と対応付けて記憶するタイミング記憶部を有することを特徴とする請求項２記載の通信装置。
【請求項４】
前記タイミング記憶部は、複数のスロットの前記タイミングを記憶し、新たなスロットの前記タイミングを記憶するとき、最も過去に記憶した前記タイミングを破棄するシフトレジスタであることを特徴とする請求項３記載の通信装置。
【請求項５】
前記相関電力値記憶部は、複数のスロットの前記最大相関電力値を記憶し、新たなスロットの前記最大相関電力値を記憶するとき、最も過去に記憶した前記最大相関電力値を破棄するシフトレジスタであることを特徴とする請求項１記載の通信装置。
【発明の詳細な説明】
【０００１】
【発明の属する技術分野】
本発明は通信装置に関し、特にスクランブリングコードによってスペクトラム拡散された信号を受信する通信装置に関する。
【０００２】
【従来の技術】
Ｗ−ＣＤＭＡ（Wideband-Code Division Multiple Access）通信方式では、移動局は基地局と無線リンクを確立するため、３段階セルサーチを行って基地局を検出する。３段階セルサーチは、第１段階でスロットタイミングを検出する。第２段階でスクランブリングコードタイミングを検出して、スクランブリングコードグループ番号を同定する。第３段階でスクランブリングコード番号を同定する。
【０００３】
Ｗ−ＣＤＭＡ通信方式では、複数のユーザ（移動局）が１つの同じ周波数帯を共有する。ユーザの識別は、一意のスクランブリングコードを用いて行われる。基地局は、送信データ系列を、そのデータ系列自身のレート（シンボルレート）よりさらに短いレート（チップレート）であるスクランブリングコードにて拡散し伝送する。移動局側では、送信時に使用された同じスクランブリングコードを用いて逆拡散することにより、相関を検出して、送信データ系列を再生する。このとき、正しく送信データ系列を再生するには、送信時に使用されたスクランブリングコードの周期を捕捉し、同定する必要がある。Ｗ−ＣＤＭＡ通信方式では、上記の３段階セルサーチによって、スクランブリングコードの周期捕捉、同定を行っている。
【０００４】
図５は、スクランブリングコードの構成例を示すタイミングチャートである。図に示すスクランブリングコード３１は、３ＧＰＰ（3rd Generation Partnership Project）の規定によると、１フレーム周期（１０ｍｓｅｃ）をもち、１フレームは、３８４００チップから構成される。１スロットは、１フレームを１５等分したものであり、２５６０チップから構成される。１スロットの先頭２５６チップには、ＰＳＣ（Primary-Search Code）、ＳＳＣ（Secondary-Search Code）が多重化されている。
【０００５】
セルサーチの第１段階では、ＰＳＣの相関値（又は相関電力値）を求め、そのピーク値をみてスロットタイミング（スロットの先頭）を検出している。ＰＳＣは、１種類しかなく１５スロット全てに同じコード系列が入っている。スロットタイミング検出では、１スロット、２５６０チップの全タイミングにおいて、スクランブリングコードで逆拡散し、ＰＳＣの相関値を求めるため、２５６０回の相関値計算が必要となる。なお、受信信号をオーバーサンプリングした場合には、相関値計算は、２５６０回×ｎ（ｎ：オーバーサンプリング数）必要となる。
【０００６】
計算した相関値を、複数のスロットに渡って記憶し、タイミング毎に相関値を累積加算する。そして、累積加算した相関値のピークを検出し、その相関値のタイミングをスロットタイミングとする。複数のスロットに渡って、相関値を累積加算するのは、ピーク検出の精度を高めるためである。
【０００７】
図６は、従来の通信装置の構成例を示すブロック図である。図に示すように、従来の通信装置は、Ａ／Ｄ変換器４１、相関器４２、ＰＳＣ発生器４３、電力化部４４、積分器４５、ＲＡＭ４６を有し、第１段階のセルサーチ処理を行う。
【０００８】
Ａ／Ｄ変換器４１は、基地局から送信される、スクランブリングコードによってスペクトラム拡散されたＡＩＲ受信信号（以下、受信信号）をデジタル信号に変換する。
【０００９】
相関器４２は、ＰＳＣ発生器４３から出力されるＰＳＣと、Ａ／Ｄ変換器４１から出力されるデジタル信号に変換された受信信号の相関値を算出する。
電力化部４４は、相関器４２より出力された相関値の同相成分Ｉと直交成分Ｑの電力化を行い、相関電力値を出力する。
【００１０】
積分器４５は、相関電力値のピークを精度よく検出するため、数スロット分に渡って相関電力値を累積加算し、ＲＡＭ４６に記憶する。ＲＡＭ４６は、スロットの全タイミングにおける相関電力値が記憶される。そして、ＲＡＭ４６から、最大相関電力値におけるタイミングを検出すれば、スロットタイミングが検出される。
【００１１】
ここで、Ａ／Ｄ変換器４１が、受信信号を４倍のオーバーサンプリングをしたとすると、ＲＡＭ４６は、２５６０×４＝１０２４０ワード分の記憶容量が必要である。
【００１２】
しかし、全タイミングにおける相関電力値を記憶することは、ＲＡＭ４６の記憶容量が大きくなり、通信装置の小型化、省電力化の妨げになる。特に、携帯電話などでは、これらは重要な要因となる。
【００１３】
そこで、記憶装置の記憶容量を低減するセルサーチ方法がある（例えば、特許文献１参照）。このセルサーチ方法では、メモリに記憶する相関電力値と比較する閾値を設ける。そして、閾値より大きい相関電力値のみをメモリに記憶していく。すなわち、閾値以下の相関電力値を雑音レベルとし、メモリに記憶しないようにして、記憶容量の低減を図っている。
【００１４】
【特許文献１】
特開２０００−３１２１６５号公報（第４頁、第１図）
【００１５】
【発明が解決しようとする課題】
しかし、上記セルサーチ方法では、相関電力値の全体のレベルが大きくなった場合などの、閾値を超える相関電力値の増加を想定し、メモリの記憶容量を多めに設定しなければならないという問題点があった。
【００１６】
本発明はこのような点に鑑みてなされたものであり、記憶すべき相関電力値を低減して、記憶装置の記憶容量を低減した通信装置を提供することを目的とする。
【００１７】
【課題を解決するための手段】
本発明では上記課題を解決するために、図１に示すような、スクランブリングコードによってスペクトラム拡散された信号を受信する通信装置において、受信信号を逆拡散し、スロットに含まれるコードの相関電力値を出力する相関電力値出力部２と、１スロット内の最大相関電力値を保持する相関電力値保持部３と、１スロット内において、相関電力値が最大相関電力値より大きい場合、相関電力値を相関電力値保持部３に格納する相関電力値比較部４と、保持された最大相関電力値を記憶する相関電力値記憶部５と、を有することを特徴とする通信装置１が提供される。
【００１８】
このような通信装置によれば、１スロット内において、相関電力値出力部２から出力される相関電力値が、相関電力値保持部３に保持されている最大相関電力値より大きい場合、相関電力値比較部４によって、相関電力値は相関電力値保持部３に格納され、１スロット内での最大相関電力値が相関電力値保持部３に保持される。そして、相関電力値保持部３に保持された最大相関電力値は相関電力値記憶部５に記憶される。これにより、相関電力値記憶部５には、１スロット内の最大相関電力値が記憶され、記憶容量を低減する。
【００１９】
【発明の実施の形態】
以下、本発明の実施の形態を図面を参照して説明する。
図１は、本発明の通信装置の原理を説明する原理図である。図に示すように、通信装置１は、相関電力値出力部２、相関電力値保持部３、相関電力値比較部４、相関電力値記憶部５、及びアンテナ６を有している。
【００２０】
相関電力値出力部２は、スクランブリングコードによってスペクトラム拡散された受信信号が入力される。相関電力値出力部２は、受信信号を逆拡散し、スロットに含まれるコード（ＰＳＣ）の相関電力値を出力する。
【００２１】
相関電力値保持部３は、１スロット内の最大相関電力値を保持する。
相関電力値比較部４は、１スロット内において、相関電力値出力部２から出力される相関電力値が、相関電力値保持部３に保持されている相関電力値（最大相関電力値）より大きい場合、相関電力値出力部２から出力された相関電力値を、相関電力値保持部３に格納する。
【００２２】
相関電力値記憶部５は、相関電力値保持部３に保持されている、１スロット内の最大相関電力値が記憶される。
アンテナ６は、基地局から送信されるスクランブリングコードによってスペクトラム拡散された信号を受信する。アンテナ６は、受信した信号を相関電力値出力部２に出力する。
【００２３】
以下、図１の原理図の動作について説明する。
通信装置１のアンテナ６は、基地局から送信されるスクランブリングコードによってスペクトラム拡散された信号を受信する。
【００２４】
相関電力値出力部２は、アンテナ６によって受信された受信信号を逆拡散し、スロットに含まれるコードの相関電力値を出力する。
相関電力値比較部４は、１スロット内において、相関電力値出力部２から出力される相関電力値が、相関電力値保持部３に保持されている相関電力値（最大相関電力値）より大きい場合、相関電力値出力部２から出力された相関電力値を、相関電力値保持部３に格納する。相関電力値保持部３には、１スロット内の最大相関電力値が保持される。
【００２５】
相関電力値記憶部５は、１スロット内での相関電力値保持部３に保持された最大相関電力値が記憶される。
このように、１スロット内において、相関電力値出力部２から出力される相関電力値が、相関電力値保持部３に保持されている最大相関電力値より大きい場合、相関電力値比較部４によって、相関電力値を相関電力値保持部３に格納し、１スロット内での最大相関電力値が相関電力値保持部３に保持されるようにした。そして、相関電力値保持部３に保持された最大相関電力値を相関電力値記憶部５に記憶するようにした。これにより、相関電力値記憶部５には、１スロット内の最大相関電力値のみが記憶されるので、記憶容量を低減することができる。
【００２６】
なお、相関電力値記憶部５に記憶されている最大相関電力値のタイミングが、第２セルサーチ処理で使用されるスロットタイミングとなる。ここで、相関電力値保持部３に保持された１スロット内の最大相関電力値を、数スロットに渡って相関電力値記憶部５に記憶し、累積加算すれば、スロットタイミングの精度を高めることができる。この場合も、１スロット内の最大相関電力値のみが数スロットに渡って記憶されるので、記憶容量を低減することができる。
【００２７】
次に、本発明の通信装置の具体的な構成例について説明する。通信装置は、例えばＷ−ＣＤＭＡ通信方式の携帯電話であり、基地局からスクランブリングコードによってスペクトラム拡散された信号を受信し、スクランブリングコードの同定を行ってデータ通信を行う。図２は、本発明の通信装置の構成例を示すブロック図である。図に示すように通信装置は、Ａ／Ｄ変換器１１、相関器１２、ＰＳＣ発生器１３、電力化部１４、カウンタ１５、終了値レジスタ１６、タイミングレジスタ１７、最大値レジスタ１８、最大値比較器１９、シフトレジスタ２０，２１、同一タイミング検出器２２、比較器２３、及び閾値レジスタ２４を有している。
【００２８】
Ａ／Ｄ変換器１１は、基地局から送信される、スクランブリングコードによってスペクトラム拡散されたＡＩＲ受信信号（以下、受信信号）をデジタル信号に変換する。受信信号は、スロットの波形を精度よく再現するために、一般にオーバーサンプリングされる。
【００２９】
相関器１２は、ＰＳＣ発生器１３から出力されるＰＳＣと、Ａ／Ｄ変換器１１から出力されるデジタル信号に変換された受信信号の相関値を算出する。相関器１２は、例えばマッチトフィルタなどによって構成される。また、相関器１２は、比較器２３から出力される信号によって（後述詳細）、相関値の算出を停止する。
【００３０】
電力化部１４は、相関器１２よって算出された相関値の同相成分Ｉと直交成分Ｑの電力化を行い、電力値を出力する。
カウンタ１５は、Ａ／Ｄ変換器１１のサンプリングに同期してカウント値をカウントアップする。カウンタ１５のカウント値は、スロットのタイミングとなる。カウンタ１５は、カウントアップしているカウント値が終了値レジスタ１６に設定されている終了値になると、カウント値を‘０’にクリアする。また、カウンタ１５は、比較器２３から出力される信号によって、カウント値のカウントアップを停止する（後述詳細）。
【００３１】
終了値レジスタ１６は、１スロットの全タイミング数が終了値として設定されるレジスタである。１スロットの全タイミング数は、Ａ／Ｄ変換器１１のサンプリングによって決まる。例えば、受信信号がオーバーサンプリングされない場合、１スロットの全タイミング数は、スロットのチップ数である２５６０である。よって、終了値レジスタ１６には、２５６０が設定される。受信信号が２倍のオーバーサンプリングされる場合、１スロットの全タイミング数は、２５６０チップの２倍の５１２０である。よって、終了値レジスタ１６には、５１２０が設定される。
【００３２】
タイミングレジスタ１７は、最大値比較器１９から最大電力値が出力されたときのカウンタ１５のカウント値を保持するレジスタである。すなわち、タイミングレジスタ１７は、最大電力値の１スロット内でのタイミングを保持する。タイミングレジスタ１７は、カウンタ１５によって１スロットの全タイミングがカウントされると、保持していたタイミングをシフトレジスタ２１に出力する。
【００３３】
最大値レジスタ１８は、最大値比較器１９から出力される電力値を保持するレジスタである。最大値レジスタ１８は、カウンタ１５によって１スロットの全タイミングがカウントされると、保持していた電力値をシフトレジスタ２０に出力する。最大値レジスタ１８は、電力値をシフトレジスタ２０に出力すると、保持していた電力値を‘０’にクリアする。
【００３４】
最大値比較器１９は、最大値レジスタ１８に保持されている電力値と電力化部１４から出力される電力値とを比較する。最大値比較器１９は、電力化部１４から出力される電力値が、最大値レジスタ１８に保持されている電力値より大きい場合、電力化部１４から出力される電力値を最大値レジスタ１８に出力する。すなわち、最大値レジスタ１８には、１スロット内での最大電力値が保持される。なお、このとき、タイミングレジスタ１７には、カウンタ１５のカウント値が保持され、最大電力値のタイミングが保持される。
【００３５】
シフトレジスタ２０は、最大値レジスタ１８から出力される１スロット内における最大電力値を数スロットに渡って保持（記憶）する。シフトレジスタ２０は、ＦＩＦＯ（First In First Out）方式のシフトレジスタであり、フリップ−フロップ（ＦＦ）２０ａ〜２０ｎから構成されている。
【００３６】
ＦＦ２０ａ〜２０ｎの各々には、１スロット内における最大電力値が数スロットに渡って記憶される。ＦＦ２０ｎは、カウンタ１５によって１スロットの全タイミングがカウントされると、記憶していた最大電力値を破棄する。ＦＦ２０ｎ−１は、記憶していた最大電力値をＦＦ２０ｎに記憶する。同様にして、各ＦＦは、記憶していた最大電力値を、古い最大電力値を記憶していたＦＦに順に記憶していく。そして、ＦＦ２０ａは、記憶していた最大電力値をＦＦ２０ｂに記憶し、ＦＦ２０ａには、最大値レジスタ１８に記憶されていた最大電力値が記憶される。
【００３７】
すなわち、シフトレジスタ２０は、最も過去に記憶していた最大電力値を破棄し、最大値レジスタ１８から出力される最も新しいスロットの最大電力値を記憶する。なお、最大電力値を記憶するスロット数は、例えば、携帯電話の移動速度が高速でなく、人が移動する速度であれば、３０個に設定する。移動が高速となり、スロットタイミングの検出が困難であれば、ＦＦを増やし、記憶するスロット数を増加するようにする。
【００３８】
シフトレジスタ２１は、タイミングレジスタ１７から出力されるタイミングを数スロットに渡って記憶する。シフトレジスタ２１は、ＦＩＦＯ方式のシフトレジスタであり、ＦＦ２１ａ〜２１ｎから構成されている。
【００３９】
シフトレジスタ２１のＦＦ２１ａ〜２１ｎの各々には、シフトレジスタ２０に記憶されている最大電力値に対応するタイミングが記憶される。ＦＦ２１ｎは、カウンタ１５によって１スロットの全タイミングがカウントされると、記憶していたタイミングを破棄する。ＦＦ２１ｎ−１は、記憶していたタイミングをＦＦ２１ｎに記憶する。同様にして、各ＦＦは、記憶していたタイミングを、古いタイミングを記憶していたＦＦに順に記憶していく。そして、ＦＦ２１ａは、記憶していたタイミングをＦＦ２１ｂに記憶し、ＦＦ２１ａには、タイミングレジスタ１７に保持されていたタイミングが記憶される。
【００４０】
すなわち、シフトレジスタ２１は、最も過去に記憶していたタイミングを破棄し、タイミングレジスタ１７から出力される最も新しいスロットのタイミングを記憶する。なお、最大電力値のタイミングを記憶するスロット数は、シフトレジスタ２０に記憶する最大電力値の数と同じにする。タイミングは、最大電力値に対応して記憶するためである。
【００４１】
同一タイミング検出器２２は、シフトレジスタ２１のＦＦ２１ａ〜２１ｎに記憶されているタイミングで、同じタイミングがいくつあるかをカウントする。そして、同一タイミング検出器２２は、最大のカウント値を比較器２３に出力する。例えば、ＦＦ２１ａ〜２１ｎに、タイミング‘７２４’が‘５’個記憶され、最も多かったとする。この場合、同一タイミング検出器２２は、‘５’を比較器２３に出力する。なお、同じタイミングの数が２以上存在する場合、各タイミングにおける最大電力値の平均値を算出し、平均値の大きいタイミングにおける数をカウントする。例えば、タイミング‘７２４’が‘３’個、タイミング‘８８４’が‘３’個あったとする。同一タイミング検出器２２は、タイミング‘７２４’に対応するシフトレジスタ２０に記憶されている最大電力値の平均値と、タイミング‘８８４’に対応するシフトレジスタ２０に記憶されている最大電力値の平均値を算出し、平均値の大きい方のタイミングの数を比較器２３に出力する。
【００４２】
比較器２３は、閾値レジスタ２４に設定されている閾値と同一タイミング検出器２２が出力する同じタイミングの数を比較する。比較器２３は、同一タイミング検出器２２が出力する同じタイミングの数が閾値レジスタ２４の閾値より大きい場合、そのタイミングをスロットタイミングとして第２セルサーチ処理へ引き渡す。すなわち、最大電力値が数スロットに渡って同じタイミングで出力された場合、そのタイミングをスロットタイミングとして第２セルサーチへ引き渡す。
【００４３】
また、比較器２３は、相関器１２、カウンタ１５にスロットタイミングを検出したことを通知する信号を出力する。相関器１２は、この信号を受けて、相関値の算出を停止し、カウンタ１５は、カウント値のカウントアップを停止する。なお、閾値レジスタ２４に設定される閾値は、シフトレジスタ２１のＦＦを３０個とした場合、その半分の１５に設定することが望ましい。
【００４４】
以下、図２の通信装置の動作をフローチャートを用いて説明する。図３，４は、通信装置の動作の流れを示すフローチャートである。通信装置は、図３，４に示すステップに従って動作し、スロットタイミングを検出する。
【００４５】
［ステップＳ１］Ａ／Ｄ変換器１１は、基地局から送信される、スクランブリングコードによってスペクトラム拡散された受信信号をデジタル信号に変換する。
【００４６】
［ステップＳ２］相関器１２は、ＰＳＣ発生器１３から出力されるＰＳＣと、Ａ／Ｄ変換器１１から出力されるデジタル信号に変換された受信信号の相関値を算出する。
【００４７】
［ステップＳ３］電力化部１４は、相関器１２から出力される相関値の同相成分Ｉと直交成分Ｑの電力化を行い、電力値を出力する。
［ステップＳ４］最大値比較器１９は、電力化部１４から出力される電力値と、最大値レジスタ１８に保持されている電力値を比較する。電力化部１４から出力される電力値が、最大値レジスタ１８に保持されている電力値より大きい場合、ステップＳ５に進む。電力化部１４から出力される電力値が、最大値レジスタ１８に保持されている電力値以下の場合、ステップＳ７に進む。
【００４８】
［ステップＳ５］最大値比較器１９は、電力化部１４から出力された電力値を最大値レジスタ１８に出力する。最大値レジスタ１８は、最大値比較器１９から出力された電力値を保持する。
【００４９】
［ステップＳ６］タイミングレジスタ１７は、カウンタ１５のカウント値を保持する。すなわち、タイミングレジスタ１７には、最大値レジスタ１８に保持されている最大電力値のタイミングが保持される。
【００５０】
［ステップＳ７］カウンタ１５は、終了値レジスタ１６に設定された、１スロットの全タイミング数である終了値に達したか否かを判断する。カウント値が終了値レジスタ１６の終了値に達しているとステップＳ８に進む。カウント値が終了値レジスタ１６に設定された値に達していない場合、ステップＳ１４に進む。
【００５１】
［ステップＳ８］カウンタ１５は、カウント値を‘０’にクリアする。
［ステップＳ９］シフトレジスタ２０は、最も過去に記憶していた最大電力値を破棄し、最大値レジスタ１８から出力される最大電力値を保持する。
【００５２】
シフトレジスタ２１は、最も過去に記憶していた最大電力値に対応するタイミングを破棄し、タイミングレジスタ１７から出力されるタイミングを保持する。
［ステップＳ１０］タイミングレジスタ１７は、保持していたタイミングを‘０’にクリアする。最大値レジスタ１８は、保持していた最大電力値を‘０’にクリアする。
【００５３】
［ステップＳ１１］同一タイミング検出器２２は、シフトレジスタ２１に保持されている各スロットのタイミングで、同じタイミングを持つスロットの数をカウントする。
【００５４】
［ステップＳ１２］比較器２３は、同一タイミング検出器２２がカウントした同一タイミングの数と閾値レジスタ２４に設定されている閾値とを比較する。同一タイミングの数が閾値レジスタ２４に設定されている閾値より大きい場合、ステップＳ１３に進む。同一タイミングの数が閾値レジスタ２４に設定されている閾値以下の場合、ステップＳ１に進む。
【００５５】
［ステップＳ１３］比較器２３は、同一タイミングをスロットタイミングとし、第２セルサーチ処理へ引き渡す。比較器２３は、相関器１２、カウンタ１５を動作停止するための信号を出力する。
【００５６】
［ステップＳ１４］カウンタ１５は、カウント値をカウントアップする。ステップＳ１の処理へ進む。
このように、１スロット内での最大電力値が、最大値レジスタ１８に保持されるようにし、その最大電力値のタイミングをタイミングレジスタ１７に保持するようにした。そして、１スロット内の最大電力値をシフトレジスタ２０に数スロットに渡って保持し、シフトレジスタ２１に最大電力値に対応するタイミングを保持するようにした。これにより、シフトレジスタ２０には、スロットタイミングを検出するのに最も有効な最大電力値のみが記憶され、シフトレジスタ２１には、その最大電力値に対応するタイミングが保持されるので、記憶容量を低減することができる。
【００５７】
また、最大電力値及びそのタイミングを、ＦＩＦＯ方式のシフトレジスタ２０，２１に数スロットに渡って保持し、同一タイミングの数が閾値以上となったタイミングをスロットタイミングとするようにしたので、確実にスロットタイミングを検出することができる。
【００５８】
また、スロットタイミングが検出された後は、相関器１２の相関値算出を停止し、カウンタ１５のカウントを停止するようにしたので、消費電力を低減することができる。
【００５９】
また、ＲＡＭより一般に消費電力の低く、回路規模の小さいレジスタを用いてデータを保持、記憶するようにしたので、消費電力を低減し、小型化を図ることができる。
【００６０】
（付記１）  スクランブリングコードによってスペクトラム拡散された信号を受信する通信装置において、
受信信号を逆拡散し、スロットに含まれるコードの相関電力値を出力する相関電力値出力部と、
１スロット内の最大相関電力値を保持する相関電力値保持部と、
前記１スロット内において、前記相関電力値が前記最大相関電力値より大きい場合、前記相関電力値を前記相関電力値保持部に格納する相関電力値比較部と、
保持された前記最大相関電力値を記憶する相関電力値記憶部と、
を有することを特徴とする通信装置。
【００６１】
（付記２）  前記相関電力値が出力されるときのタイミングを出力するタイミング出力部を有することを特徴とする付記１記載の通信装置。
（付記３）  前記最大相関電力値の前記タイミングを、前記最大相関電力値と対応付けて記憶するタイミング記憶部を有することを特徴とする付記２記載の通信装置。
【００６２】
（付記４）  前記タイミング記憶部は、複数のスロットの前記タイミングを記憶し、新たなスロットの前記タイミングを記憶するとき、最も過去に記憶した前記タイミングを破棄するシフトレジスタであることを特徴とする付記３記載の通信装置。
【００６３】
（付記５）  前記相関電力値記憶部は、複数のスロットの前記最大相関電力値を記憶し、新たなスロットの前記最大相関電力値を記憶するとき、最も過去に記憶した前記最大相関電力値を破棄するシフトレジスタであることを特徴とする付記１記載の通信装置。
【００６４】
（付記６）  前記複数のスロットの前記タイミングが一致している一致数を検出する同一タイミング検出部を有することを特徴とする付記４記載の通信装置。
（付記７）  前記同一タイミング検出部は、同じ前記一致数が複数存在する場合、各前記タイミングに対応した最大相関電力値の平均値を算出し、前記平均値の最も大きい前記タイミングの一致数を検出することを特徴とする付記６記載の通信装置。
【００６５】
（付記８）  前記一致数が所定の閾値に達したとき、前記タイミングをスロットタイミングとして出力するスロットタイミング出力部を有することを特徴とする付記６記載の通信装置。
【００６６】
（付記９）  前記一致数が所定の閾値に達したとき、前記タイミング出力部の前記タイミングの出力及び前記相関電力値出力部の前記相関電力値の出力を停止する出力停止部を有することを特徴とする付記６記載の通信装置。
【００６７】
【発明の効果】
以上説明したように本発明では、１スロット内において、相関電力値出力部から出力される相関電力値が、相関電力値保持部に保持されている最大相関電力値より大きい場合、相関電力値比較部によって、相関電力値を相関電力値保持部に格納し、１スロット内の最大相関電力値が相関電力値保持部に保持されるようにした。そして、相関電力値保持部に保持された最大相関電力値を相関電力値記憶部に記憶するようにした。これにより、相関電力値記憶部には、１スロット内の最大相関電力値が記憶され、記憶容量を低減することができる。
【図面の簡単な説明】
【図１】本発明の通信装置の原理を説明する原理図である。
【図２】本発明の通信装置の構成例を示すブロック図である。
【図３】通信装置の動作の流れを示すフローチャートである。
【図４】通信装置の動作の流れを示すフローチャートである。
【図５】スクランブリングコードの構成例を示すタイミングチャートである。
【図６】従来の通信装置の構成例を示すブロック図である。
【符号の説明】
１  通信装置
２  相関電力値出力部
３  相関電力値保持部
４  相関電力値比較部
５  相関電力値記憶部
６  アンテナ
１１  Ａ／Ｄ変換器
１２  相関器
１３  ＰＳＣ発生器
１４  電力化部
１５  カウンタ
１６  終了値レジスタ
１７  タイミングレジスタ
１８  最大値レジスタ
１９  最大値比較器
２０，２１  シフトレジスタ
２２  同一タイミング検出器
２３  比較器
２４  閾値レジスタ
【図１】
2004193976.tif 000003
【図２】
2004193976.tif 000004
【図３】
2004193976.tif 000005
【図４】
2004193976.tif 000006
【図５】
2004193976.tif 000007
【図６】
2004193976.tif 000008